(57)【要約】【課題】折り畳み状態の有底筒状の外装体の展開がスムーズに行えない。【解決手段】外装体２のブランク３を、６枚の側面部４、4a…、底フラップ５、5a…及び糊代部６とで構成し、前面中央の側面部4bの底フラップ5bに中央折れ線Ｌ３を形成し、この底フラップ5bに後面中央の側面部4eの底フラップ5eを接着し、前面側方の側面部4a、4cの底フラップ5a、5cと、後面側方の側面部４、4dの底フラップ５、5dとを接着し、下方支持底部9b、9cを形成する一方の底フラップ５、5dを、底部形成部位７と、谷折れする折れ線Ｌ４を介して連続形成された接着部位８とで構成し、折り畳み状態での底フラップ5b、５、5dが徐々に開いて、底主体部9a及び下方支持底部9b、9cで構成される底部９が形成されるため、展開がスムーズに行える。【選択図】図４（ａ）
2016159974.tif 000002
【特許請求の範囲】
【請求項１】
密閉袋の下方部位を六角筒状の外装体で囲った複合包装材であって、
前記外装体のブランクを、並列配置された６枚の側面部と、該側面部の下辺に連続形成された底フラップと、一端の側面部の外側部に連続形成された、他端の側面部に接着可能な糊代部とで構成し、隣接する側面部の境界部に、山折れする分割折れ線を形成し、前記側面部と前記底フラップとの境界部に、山折れする境界折れ線を形成し、前記糊代部と前記一端の側面部との境界部に、山折れする折れ線を形成し、折り畳み状態とした外装体における前後面側の中央の側面部のどちらか一方に連続形成された底フラップに中央折れ線を形成し、この底フラップに、前後面側の中央の側面部の他方に連続形成された底フラップを接着して底主体部を形成可能にし、前後面側の一側方の側面部に連続形成された底フラップと他側方の側面部に連続形成された底フラップとを接着して、少なくとも一部が前記底主体部に重合可能な下方支持底部を形成可能にし、前記底主体部及び下方支持底部で外装体の底部を形成し、前記下方支持底部を形成する一方の底フラップを、底部形成部位と、該底部形成部位の内側方に、谷折れする折れ線を介して連続形成された、他方の底フラップへの接着部位とで構成したことを特徴とする複合包装材。
【請求項２】
前記中央折れ線を有する底フラップを六角形状に形成し、展開状態において、この底フラップの各辺を対応する前記側面部の下辺部に接触可能にしたことを特徴とする請求項１記載の複合包装材。
【発明の詳細な説明】
【技術分野】
【０００１】
本発明は、フィルム包装袋と六角有底筒状で折り畳み・展開自在な外装体で構成された複合包装材に関する。
【背景技術】
【０００２】
従来、フィルム包装袋と六角有底筒状の外装体で構成された複合包装材としては、密閉袋の略下半分を紙板製で六角筒状の外装体で囲い、該外装体のブランクは前面部、後面部、前面部及び後面部の間に位置する底面部とで構成されたものが見受けられる（例えば、特許文献１参照）。
【０００３】
具体的には、前面部及び後面部と底面部の境界部に折れ線を設け、前面部、底面部及び後面部にわたる２本の分割折れ線を設け、底面部に前記分割折れ線に直行する中央折れ線を設け、前記境界折れ線と分割折れ線との交点と前記中央折れ線の端部を結ぶ４本の斜状折れ線を形成し、前面部及び後面部の夫々の両側部に糊代部を折れ線を介して連続形成し、分割折れ線を山折り、糊代部折れ線を谷折り、境界折れ線を山折り、中央折れ線を谷折りし、前面部の糊代部と後面部の糊代部が接着されている。
【０００４】
そして、当該部位を摘んで内側に押すと、前面部の中央部位と後面部の中央部位との間が拡がり、折り畳み状態の底面部が開きながら下がろうとするが、底面部における分割折れ線の内側の矩形部位は平板状に、分割折れ線より外側の二等辺三角形部位は内側より外側上方への傾斜板状に、斜状折れ線より外側部位は前面部及び後面部の両側部位に重なって、有底六角筒状の筒状部に展開される様に成っている。
【先行技術文献】
【特許文献】
【０００５】
【特許文献１】実願昭５３−１０４３１０号（実開昭５５−２１９３９号）のマイクロフィルム
【発明の概要】
【発明が解決しようとする課題】
【０００６】
しかし、上記従来技術にあっては、例えば外装体を、陳列時には折り畳み状態とし、購入後に展開状態として使用する場合、底面部の中央折線は山折れで徐々に角度がなくなっていこうとするが、直行する２本の分割折れ線は徐々に谷折れが深くなっていくことになることから、中央折れ線と分割折れ線との交点部位の周囲部分を歪ませなければならないため、非常に展開し難いなど、解決せねばならない課題があった。
【課題を解決するための手段】
【０００７】
本発明は、上記従来技術に基づく、折り畳み状態の有底筒状の外装体が展開し難い課題に鑑み、外装体のブランクを、並列配置された６枚の側面部と、該側面部の下辺に連続形成された底フラップと、一端の側面部の外側部に連続形成された、他端の側面部に接着可能な糊代部とで構成し、隣接する側面部の境界部に、山折れする分割折れ線を形成し、前記側面部と前記底フラップとの境界部に、山折れする境界折れ線を形成し、前記糊代部と前記一端の側面部との境界部に、山折れする折れ線を形成し、折り畳み状態とした外装体における前後面側の中央の側面部のどちらか一方に連続形成された底フラップに中央折れ線を形成し、この底フラップに、前後面側の中央の側面部の他方に連続形成された底フラップを接着して底主体部を形成可能にし、前後面側の一側方の側面部に連続形成された底フラップと他側方の側面部に連続形成された底フラップとを接着して、少なくとも一部が前記底主体部に重合可能な下方支持底部を形成可能にし、前記底主体部及び下方支持底部で外装体の底部を形成し、前記下方支持底部を形成する一方の底フラップを、底部形成部位と、該底部形成部位の内側方に、谷折れする折れ線を介して連続形成された、他方の底フラップへの接着部位とで構成したことによって、独立した底主体部及び下方支持底部の開閉だけで底部を形成可能にして、上記課題を解決する。
【発明の効果】
【０００８】
要するに本発明は、外装体のブランクを、並列配置された６枚の側面部と、該側面部の下辺に連続形成された底フラップと、一端の側面部の外側部に連続形成された、他端の側面部に接着可能な糊代部とで構成し、隣接する側面部の境界部に、山折れする分割折れ線を形成し、前記側面部と前記底フラップとの境界部に、山折れする境界折れ線を形成し、前記糊代部と前記一端の側面部との境界部に、山折れする折れ線を形成し、折り畳み状態とした外装体における前後面側の中央の側面部のどちらか一方に連続形成された底フラップに中央折れ線を形成し、この底フラップに、前後面側の中央の側面部の他方に連続形成された底フラップを接着して底主体部を形成可能にし、前後面側の一側方の側面部に連続形成された底フラップと他側方の側面部に連続形成された底フラップとを接着して、少なくとも一部が前記底主体部に重合可能な下方支持底部を形成可能にし、前記底主体部及び下方支持底部で外装体の底部を形成し、前記下方支持底部を形成する一方の底フラップを、底部形成部位と、該底部形成部位の内側方に、谷折れする折れ線を介して連続形成された、他方の底フラップへの接着部位とで構成したので、この折り込み状態の外装体の両側部を内側に押すと、折り畳まれた中央の底主体部が中央折れ線を中心に、両側方の下方支持底部が、折込み折れ線を中心に展開されて、底主体部に下方支持底部の内側部分が重なって底部が形成されるため、展開中に全く障害がなくスムーズに行うことが出来る。
【０００９】
前記中央折れ線を有する底フラップを六角形状に形成し、展開状態において、この底フラップの各辺を対応する前記側面部の下辺部に接触可能にしたので、底主体部に下方支持底部の全体が完全に重合するため、底部の強度を向上させることが出来、而も展開状態の外装体の形状を確実に維持させることが出来る等その実用的効果甚だ大である。
【図面の簡単な説明】
【００１０】
【図１】本発明に係る複合包装材の正面図である。
【図２】図１の複合包装材の外装体を展開した状態の断面図である。
【図３】外装体のブランクの平面図である。
【図４（ａ）】展開状態の外装体の底面図である。
【図４（ｂ）】展開状態の外装体の平面図である。
【発明を実施するための形態】
【００１１】
本発明に係る複合包装材にあっては、密閉袋１の下方部位を紙板製で六角筒状の外装体２で囲い、該外装体２のブランク３は並列された６枚の側面部４、4a…と、該側面部４、4a…の下辺に連続形成された底フラップ５、5a…と、最端の側面部４の外側部に連続形成された糊代部６とで構成され、特に底フラップ５、5a…は隣のものと干渉しないように形成されている。
【００１２】
図１、２は、本発明に係る複合包装材の正面図、図１の複合包装材の外装体を展開した状態の断面図、図３は、外装体のブランクの平面図、図４（ａ）、（ｂ）は、展開状態の外装体の底面図、平面図である。
【００１３】
側面部４、4a…は、下辺より上方へ徐々に幅広く成っており、隣接する側面部４、4a…の境界部に、山折れする分割折れ線Ｌ１、Ｌ1a…を形成し、外装体２の前面側を側面部4a、4b、4cで、後面側を側面部４、4d、4eで形成する様に成っている。
【００１４】
底フラップ５、5a…は、側面部４、4a…との境界部に、山折れする境界折れ線Ｌ２、Ｌ2a…を形成し、前面中央の側面部4bに六角形状の底フラップ5bが、前面両側の4a、4cに連三角形状の底フラップ5a、5cが、後面両側の側面部４、4dに底フラップ５、5dが、後面中央の側面部4eに底フラップ5eが夫々連続形成され、三角形底フラップ5a、5cに底フラップ５、5dを、六角形底フラップ5bに底フラップ5eを接着する様にしている。
【００１５】
六角形底フラップ5bは、谷折れする中央折れ線Ｌ３を形成し、各底フラップ５、5dは、底部形成部位７と、該底部形成部位７の内側方に連続形成された、三角形底フラップ5a、5cへの接着部位８とで構成され、底部形成部位７と接着部位８の間に谷折れする折れ線Ｌ４が形成され、底フラップ5eは台形状で、六角形底フラップ5bの中央折れ線Ｌ３まで至らない様に形成されている。
【００１６】
又、各底フラップ５、5dの折れ線Ｌ４の位置は、展開状態の外装体２における六角形底フラップ5bの中央折れ線Ｌ３に対し一直線上に位置する様に設定されている。
【００１７】
糊代部６と側面部４との境界部に、山折れする折れ線Ｌ５を形成している。
【００１８】
そして、境界折れ線Ｌ２、Ｌ2a…及び分割折れ線Ｌ１、Ｌ1cを山折りし、六角形底フラップ5bの中央折れ線Ｌ３及び底フラップ５、5dの折れ線Ｌ４を谷折りして、糊代部６を側面部4eの裏面に、底フラップ5eを六角形底フラップ5bの裏面に、各底フラップ５、5dの接着部位８を三角形底フラップ5a、5cの表面に夫々接着して、折り畳み状態の外装体２と成している。
【００１９】
この外装体２の両側部を内側に押すと、前面側と後面側の間が徐々に拡がり、分割折れ線Ｌ１、Ｌ1cの山折りが徐々に緩くなると共に、残る分割折れ線Ｌ1a、Ｌ1b、1dと折れ線Ｌ５が徐々に山折りされ、底フラップ5eを六角形底フラップ5bで形成された底主体部9aと、底フラップ５、5dと三角形底フラップ5a、5cで形成された概ね菱形状の下方支持底部9b、9cから成る底部９が形成され、これに伴い密閉袋１が前後方向に拡がって、机上などに載置可能になる。
【００２０】
尚、底フラップ5bは、図面上六角形状で、各辺を対応する側面部４、4a…の下辺より若干短くして、展開状態において、この底フラップ5bの各辺を対応する前記側面部４、4a…の下辺部に接触可能にしているが、これが最良の形態であり、基本的には、底フラップ5eとで形成される底主体部9aの両側部が下方支持底部9b、9cに重なれば良く、而も重合面積が大きい形状にすることが好ましい。
【００２１】
上記最良の形態の底フラップ5bを有する外装体２では、折り畳み状態の底フラップ5bの両角部の位置が、折り畳み状態における前後面側の境界の折込み折れ線Ｌ１、Ｌ1cに比較的近くなるため、展開過程において下方支持底部9b、9cが底主体部9aの下方に確実に位置させることが可能になり、且つ形成された底部９が強固になる。
【符号の説明】
【００２２】
１            密閉袋
２            外装体
３            ブランク
４、4a…      側面部
５、5a…      底フラップ
６            糊代部
７            底部形成部位
８            接着部位
９            底部
9a            底主体部
9b、9c        下方支持底部
Ｌ１、Ｌ1a…  分割折れ線
Ｌ２、Ｌ2a…  境界折れ線
Ｌ３          中央折れ線
Ｌ４          折れ線
Ｌ５          折れ線
【図１】
2016159974.tif 000003
【図２】
2016159974.tif 000004
【図３】
2016159974.tif 000005
【図４（ａ）】
2016159974.tif 000006
【図４（ｂ）】
2016159974.tif 000007